(57)【要約】【課題】拡散性及び液透過性が改善され、かつ液戻り防止性が向上した吸収性物品を提供する。【解決手段】液透過性のトップシートと液不透過性のバックシートとトップシート及びバックシートの間に配置される吸収体とを有し、トップシートと吸収体との間に、複数の円錐台状の開孔を有する開孔フィルム７０を備え、開孔フィルムが長手方向Ｙに沿って中央部Ｂ及び両端部Ａ、Ｃから構成され、開孔フィルム７０のトップシート側の表面において、中央部Ｂの開孔７４の開孔径Ｄｂ１が、両端部Ａ及びＣの開孔７３及び７５の開孔径Ｄａ１及びＤｃ１より小さく、中央部Ｂの開孔７４は、トップシート側の表面における開孔径Ｄｂ１が、バックシート側の表面における開孔径Ｄｂ２より小さく、両端部Ａ及びＣの開孔７３及び７５は、トップシート側の表面における開孔径Ｄａ１及びＤｃ１が、バックシート側の表面における開孔径Ｄａ２及びＤｃ２より大きい吸収性物品である。【選択図】図４
2020081531.tif 000002
【特許請求の範囲】
【請求項１】
液透過性のトップシートと、液不透過性のバックシートと、前記トップシート及び前記バックシートの間に配置される吸収体とを有する吸収性物品であって、
前記トップシートと前記吸収体との間に、複数の円錐台状の開孔を有する開孔フィルムを備え、
前記開孔フィルムが長手方向に沿って中央部及び両端部から構成され、
前記開孔フィルムの前記トップシート側の表面において、前記中央部の前記開孔の開孔径が、前記両端部の前記開孔の開孔径より小さく、
前記中央部の前記開孔は、前記トップシート側の表面における開孔径が、前記バックシート側の表面における開孔径より小さく、
前記両端部の前記開孔は、前記トップシート側の表面における開孔径が、前記バックシート側の表面における開孔径より大きい吸収性物品。
【請求項２】
前記複数の円錐台状の開孔は、開孔径が２ｍｍ以下であり、開孔数が５０個／ｃｍ２以上であり、かつ坪量が２０ｇ／ｍ２以上６０ｇ／ｍ２以下である請求項１記載の吸収性物品。
【請求項３】
前記中央部及び前記両端部のそれぞれにおいて、前記トップシート側の表面における開孔径と前記バックシート側の表面における開孔径との差の絶対値が、０．０３ｍｍ以上０．１５ｍｍ以下である請求項１又は２記載の吸収性物品。
【請求項４】
前記トップシートと前記開孔フィルムとの間に、液拡散性のセカンドシートが設けられている請求項１から３いずれか１項記載の吸収性物品。
【請求項５】
前記セカンドシートの坪量が、１０ｇ／ｍ２以上６０ｇ／ｍ２以下である請求項１から４いずれか１項記載の吸収性物品。
【発明の詳細な説明】
【技術分野】
【０００１】
本発明は、開孔フィルムを具備した吸収性物品に関する。
【背景技術】
【０００２】
一般的に、軽失禁パッド、パンツ型紙おむつ、テープ止め紙おむつ等の吸収性物品は、液透過性のトップシートと、液不透過性のバックシートと、両シートの間に配置された吸収体と、で構成されている。これにより、尿等の体液は、トップシートを通って吸収体に吸収され、バックシートにより外部へ漏れないようになっている。このような吸収性物品には、体液の吸収性の向上、着用者の装着感の向上、漏れ防止等を図るために、様々な工夫がなされている。
【０００３】
例えば、開孔フィルムを吸収性物品の所定の位置に設けることによって、ウェットバックや吸収速度などの吸収性能を向上させる技術がある。開孔フィルムの肌側面の開口面積を非肌側面より大きくすることで、ウェットバックや吸収速度を向上するというものである。
【０００４】
開孔フィルムを用いた吸収性物品として、例えば、特許文献１には、液透過性の表面材、液体保持性の吸収材及び液不透過性の防漏材を有する吸収性物品であって、表面材が、肌当接面層と非肌当接面層とを積層一体化してなる液透過性シートからなり、肌当接面層が、熱可塑性樹脂からなる開孔フィルム又は合成繊維からなる不織布で形成された吸収性物品が開示されている。
【０００５】
また、特許文献２には、上から下へ順に設けられる表面層と、吸収層と、底層とを備え、吸収層は、上から下へ、穿孔フィルム層と、コア層と、下付着層とを有し、穿孔フィルム層は、表面層とコア層との間に位置し、下付着層は、コア層と底層との間に位置する尿とりパッドが開示されている。
【０００６】
さらに、特許文献３には、ＳＡＰ及びフラッフパルプのうち少なくとも一つを吸収体成分として含む吸収体層を有する吸収体であって、吸収体は、吸収体層に接して配置され、かつ、耐水性、高通気性合成樹脂製開孔フィルムからなる吸収体被覆層を備え、吸収体被覆層は、吸収体成分の吸収体からの離脱を防止するとともに、形態安定性を保持するように構成されており、開孔フィルムは頭頂部の開孔が小さく、底部の開孔が大きい漏斗状構造の多数の突起部を有し、その突起部の頭頂部が吸収体層に接するように配置された吸収体が開示されている。
【先行技術文献】
【特許文献】
【０００７】
【特許文献１】特開平８−６６４２５号公報
【特許文献２】実用新案登録第３２１５５１５号公報
【特許文献３】特開２００２−３５５２７１号公報
【発明の概要】
【発明が解決しようとする課題】
【０００８】
しかしながら、上記開孔フィルムを設けた特許文献１及び特許文献２の吸収性物品及び尿取りパッドでは、いずれもウェットバックなどの液戻り防止性や吸収速度に優れているものの、吸収性物品における液体の拡散性には効果があるものとはいえず、吸収体の吸収性能を十分に発揮できていない。
【０００９】
また、特許文献３に記載の吸収体は、従来の非肌側面よりも肌側面の開口面積が小さい開孔フィルムを用い、開口面積の小さい面が吸収体に接するような構成である。しかしながら、この場合であっても上記液体の拡散性を良化させるという技術思想はない。
【００１０】
上記の特許文献のように、生理用ナプキンや使い捨ておむつの受液側表面材として、開孔フィルムが用いられているものがあり、開孔フィルムを配置することで液透過性、液戻り防止性が改善される。しかし、開孔フィルムは通常の不織布よりも高価なものが多いにもかかわらず、より有益な液透過性及び液戻り防止性を示すには不十分である。また、開孔フィルムは樹脂フィルムであるため、肌触り面で硬さが感じられる。
【００１１】
本発明は、上記事情に鑑みてなされたものであり、拡散性及び液透過性が改善され、かつ液戻り防止性が向上した吸収性物品を提供することを目的とする。
【課題を解決するための手段】
【００１２】
本発明者は、鋭意検討の結果、特定の構成の開孔フィルムをトップシートと吸収体との間に設けることで上記課題を解決できることを見出し、本発明に至った
すなわち、本発明は、液透過性のトップシートと、液不透過性のバックシートと、前記トップシート及び前記バックシートの間に配置される吸収体とを有する吸収性物品であって、前記トップシートと前記吸収体との間に、複数の円錐台状の開孔を有する開孔フィルムを備え、前記開孔フィルムが長手方向に沿って中央部及び両端部から構成され、前記開孔フィルムの前記トップシート側の表面において、前記中央部の前記開孔の開孔径が、前記両端部の前記開孔の開孔径より小さく、前記中央部の前記開孔は、前記トップシート側の表面における開孔径が、前記バックシート側の表面における開孔径より小さく、前記両端部の前記開孔は、前記トップシート側の表面における開孔径が、前記バックシート側の表面における開孔径より大きい吸収性物品である。
【００１３】
前記複数の円錐台状の開孔は、開孔径が２ｍｍ以下であり、開孔数が５０個／ｃｍ２以上であり、かつ坪量が２０ｇ／ｍ２以上６０ｇ／ｍ２以下であることが好ましい。
【００１４】
前記中央部及び前記両端部のそれぞれにおいて、前記トップシート側の表面における開孔径と前記バックシート側の表面における開孔径との差の絶対値が、０．０３ｍｍ以上０．１５ｍｍ以下であることが好ましい。
【００１５】
前記トップシートと前記開孔フィルムとの間に、液拡散性のセカンドシートが設けられていることが好ましい。
【００１６】
前記セカンドシートの坪量は、１０ｇ／ｍ２以上６０ｇ／ｍ２以下であることが好ましい。
【発明の効果】
【００１７】
本発明によれば、拡散性や液透過性が改善され、液戻り防止性が向上した吸収性物品を提供することができる。
【図面の簡単な説明】
【００１８】
【図１】本発明の吸収性物品の平面図である。
【図２】図１におけるＸ１−Ｘ１の断面図である。
【図３】本発明における開孔フィルムの平面図である。
【図４】図３におけるＸ２−Ｘ２断面図である。
【発明を実施するための形態】
【００１９】
以下、添付図面を参照して、本発明を実施するための形態（以下、実施形態）について詳細に説明するが、これらは例示の目的で掲げたもので、これらにより本発明を限定するものではない。なお、実施形態の説明の全体を通して同じ要素には同じ符号を付する。
【００２０】
また、本明細書の説明において、吸収性物品１０の着用時とは、吸収性物品１０の着用時及び着用後の少なくとも一方をいう。吸収性物品１０の長手方向とは、吸収性物品１０が着用されたときに着用者の前後にわたる方向であり、図中、符号Ｙで示す方向である。また、吸収性物品１０の幅方向とは、長手方向に対して横又は直交する方向であり、図中、符号Ｘで示す方向である。さらに、肌当接面とは、吸収体等の各部材の表裏両面のうち、着用時に着用者の肌側に配される面であり、非肌当接面とは、吸収体等の各部材の表裏両面のうち、着用時に着用者の肌側とは反対側に向けられる面である。体液とは、尿や血液、軟便中の水分等の体内から体外に排出された液体をいう。さらに、吸収性物品１０としては、ベビー用又は成人用を問わず、軽失禁パッド、パンツ型紙おむつ、テープ止め紙おむつが例示されるが、これに限定されるものではなく、その他の吸収性物品であってもよい。
【００２１】
［吸収性物品］
図１は、本発明の実施形態に係る吸収性物品１０をトップシート２０側から見た平面図である。図１に示すように、本実施形態の吸収性物品１０は、肌当接面側に配された液透過性のトップシート２０と、トップシート２０に対向して非肌当接面側に配置された液不透過性のバックシート３０と、トップシート２０とバックシート３０との間に配置された吸収体４０と、を備える。さらに、吸収性物品１０は、図２に示すように、トップシート２０と吸収体４０との間に、液拡散性シートのセカンドシート５０、及び複数の開孔を有する開孔フィルム７０を備える。
【００２２】
吸収性物品１０の長手方向Ｙの寸法Ｌ１０は１００ｍｍ以上８００ｍｍ以下、幅方向Ｘの寸法Ｗ１０は５０ｍｍ以上５００ｍｍ以下であることが好ましい。吸収性物品１０の寸法を上記の範囲に調整することにより、軽失禁パッド、パンツ型紙おむつ、テープ止め紙おむつ等に適した吸収性物品１０を得ることができる。
【００２３】
（トップシート）
トップシート２０は、体液が吸収体４０へと移動するような液透過性を備えた基材から形成されればよい。液透過性を備えた基材として、例えば、エアスルー不織布、サーマルボンド不織布、スパンボンド不織布等の不織布、サーマルボンド／スパンボンドを積層した複合不織布、ウレタンフォーム等の発泡フィルム、又は、これらを積層した複合シートが挙げられる。
また、トップシート２０には、液透過性を向上させるために、表面にエンボス加工や穿孔加工を施してもよい。これらのエンボス加工や穿孔加工を施すための方法としては、公知の方法を制限なく実施することができる。また、肌への刺激を低減させるため、トップシート２０には、ローション、酸化防止剤、抗炎症成分、ｐＨ調整剤、抗菌剤、保湿剤等を含有させてもよい。
強度、加工性及び液戻り量の点から、トップシート２０の坪量は、１８ｇ／ｍ２以上４０ｇ／ｍ２以下であることが好ましい。トップシート２０は、漏れがないように体液を吸収体４０へと誘導するため、吸収体４０を覆う形状であればよい。
【００２４】
（バックシート）
バックシート３０は、吸収体４０が保持している体液が衣類を濡らさないような液不透過性を備えた基材であればよく、樹脂フィルムや、樹脂フィルムと不織布とを積層した複合シートといった材料から形成される。複合シートに用いられる不織布としては、製法を特に限定せず、例えば、スパンボンド不織布やメルトブローン不織布、あるいは、スパンボンド／メルトブローン、スパンボンド／メルトブローン／スパンボンドを積層した複合不織布及びこれらの複合材料が挙げられる。また、樹脂フィルムとしては、例えば、ポリエステル、ポリビニルアルコール、ポリエチレン、ポリプロピレン、ポリエチレンとポリプロピレンの複合フィルム等が挙げられる。
【００２５】
強度及び加工性の点から、バックシート３０の坪量は、１５ｇ／ｍ２以上６０ｇ／ｍ２以下であることが好ましい。また、装着時の蒸れを防止するため、バックシート３０には、通気性を持たせることが好ましい。バックシート３０に通気性を備えさせるためには、例えば、基材の樹脂フィルムにフィラーを配合したり、バックシート３０にエンボス加工を施したりすればよい。なお、フィラーとしては炭酸カルシウムを挙げることができ、その配合方法は、公知の方法を制限なく行うことができる。
【００２６】
（開孔フィルム）
本発明においては、トップシート２０と吸収体４０との間に、複数の円錐台状の開孔を有する開孔フィルム７０を備える。
開孔フィルム７０は、体液が吸収体４０へと移動するような液透過性、液拡散性を備えていることが好ましい。
開孔フィルム７０は、液拡散性の点で、開孔径は２ｍｍ以下であることが好ましく、０．５０ｍｍ以上０．６５ｍｍ以下がより好ましい。
ここで、「開孔径」とは、開孔フィルム７０を株式会社キーエンス製３Ｄ顕微鏡（ＶＲ−３１００）で撮影し、任意に選んだ３つの開孔の直径を測定した平均値である。
また、「開孔径が２ｍｍ以下である」とは、開孔フィルム７０のトップシート２０側の表面７１及びバックシート３０側の表面７２における開孔径がいずれも２ｍｍ以下であることを意味する。
また、液透過性の点から、開孔数は５０個／ｃｍ２以上２００個／ｃｍ２以下が好ましい。さらに、強度及び加工性の点から、開孔フィルム７０の坪量は、２０ｇ／ｍ２以上６０ｇ／ｍ２以下であることが好ましく、２３ｇ／ｍ２以上３０ｇ／ｍ２以下であることがより好ましい。
開孔フィルム７０の開孔径、開孔数、及び坪量を上記の範囲とすることにより、強度、加工性、液透過性、及び液拡散性に優れた開孔フィルム７０を得ることができる。
【００２７】
開孔フィルム７０の材質は、ポリエチレン、ポリプロピレンが好ましく、なかでも、柔らかさの観点からポリエチレンが好ましい。
【００２８】
図３に示すように、開孔フィルム７０は、長手方向Ｙに沿って中央部Ｂ及び両端部Ａ、Ｃから構成される。中央部は、幅方向Ｘの中心を含んで１０％以上９０％以下の領域を示し、両端部は、中央部の幅方向Ｘの紙面左側領域及び右側領域を示す。なお、中央部の開孔径は、中央部付近の範囲の任意の３つの開孔の直径を測定した平均値であり、両端部の開孔径は、両端部付近の範囲の任意の３つの開孔径の直径を測定した平均値である。
開孔フィルム７０のトップシート２０側の表面７１において、中央部Ｂの開孔７４の開孔径Ｄｂ１は、両端部Ａ及びＣの開孔７３及び７５の開孔径Ｄａ１及びＤｃ１より小さい。なお、両端部Ａ及びＣの開孔７３及び７５の開孔径Ｄａ１及びＤｃ１は、略同じサイズであることが好ましい。
また、中央部Ｂの開孔７４は、トップシート２０側の表面７１における開孔径Ｄｂ１が、バックシート３０側の表面７２における開孔径Ｄｂ２より小さく、両端部Ａ及びＣの開孔７３及び７５は、トップシート２０側の表面７１における開孔径Ｄａ１及びＤｃ１が、バックシート３０側の表面７２における開孔径Ｄａ２及びＤｃ２より大きい。
開孔フィルム７０のトップシート２０側の表面において、中央部Ｂの開孔７４の開孔径Ｄｂ１が、両端部Ａ及びＣの開孔７３及び７５の開孔径Ｄａ１及びＤｃ１より小さいことにより、肌触りが良く、横方向への尿等の体液の拡散速度及び吸収速度に優れるため横漏れが生じ難い。また、両端部Ａ及びＣのバックシート３０側の表面７２における開孔径Ｄａ２及びＤｃ２がトップシート２０側の表面７１における開孔径Ｄａ１及びＤｃ１より小さいため、液戻りがし難い。
【００２９】
図４に示すように、開孔フィルム７０の中央部Ｂにおいて、トップシート２０側の表面７１における開孔径Ｄｂ１とバックシート３０側の表面７２における開孔径Ｄｂ２との差の絶対値は、０．０３ｍｍ以上０．１５ｍｍ以下であることが好ましい。
また、両端部Ａ及びＣにおいても同様に、トップシート２０側の表面７１における開孔径Ｄａ１及びＤｃ１とバックシート３０側の表面７２における開孔径Ｄａ２及びＤｃ２との差の絶対値は、０．０３ｍｍ以上０．１５ｍｍ以下であることが好ましい。
トップシート２０側の表面７１の開孔径とバックシート３０側の表面７２の開孔径の差を上記の範囲にすることにより、表面の肌触りが良く、尿等の体液が素早く横方向に濡れ広がり吸収されるので横漏れを防止することができ、かつ、液戻りを防止することができる。
本発明における開孔フィルム７０は、孔を有していないフィルム等の材料にエンボス加工で孔を貫通させて開孔させることによって作製することができる。
【００３０】
（吸収体）
本発明の吸収性物品１０は、図１に示すように、吸収体４０の長手方向Ｙの最長幅の寸法Ｌ４０は、１００ｍｍ以上８００ｍｍ以下であることが好ましく、１５０ｍｍ以上５００ｍｍ以下であることがより好ましい。また、吸収体４０の幅方向の最長幅の寸法Ｗ４０は、５０ｍｍ以上５００ｍｍ以下であることが好ましく、７０ｍｍ以上１０５ｍｍ以下であることがより好ましい。また、本実施形態の吸収性物品における吸収体４０は、図２に示すように、肌当接面側に位置する上層吸収体４１と、非肌当接面側に位置する下層吸収体４２とからなる２層構造であるが、上層吸収体４１と下層吸収体４２との間にキャリアシート６０を配置して３層構造としてもよい。
【００３１】
−吸収性繊維−
吸収体４０は、基材としての吸収性繊維と、高吸収性ポリマー（ＳＡＰ）とを含有する。
吸収性繊維は、一般に生理用ナプキンや紙おむつ、尿取りパッド等の吸収性物品に使用されるものであればよく、例えば、フラッフパルプ、コットン、レーヨン、アセテート、ティシュ、吸収紙、親水性不織布等を挙げることができる。これらの中でも、吸収性の観点から、フラッフパルプを使用することが好ましい。フラッフパルプとしては、木材パルプ（例えば、サウザンパインやダグラスファー等の針葉樹晒クラフトパルプ（Ｎ−ＢＫＰ））、合成繊維、樹脂繊維、非木材パルプ等を綿状に解繊したものを挙げることができる。吸収体４０に、基材としての吸収性繊維にフラッフパルプを用いた場合、吸収性繊維の坪量は、１００ｇ／ｍ２以上８００ｇ／ｍ２以下であることが好ましく、３２５ｇ／ｍ２以上６１５ｇ／ｍ２以下であることがより好ましい。これにより、肌触りを損なわずに、より多くの体液を吸収させることができる。
【００３２】
−高吸収性ポリマー−
吸収体４０の高吸収性ポリマーとしては、体液を吸収し、かつ、逆流を防止できるものであればよく、ポリアクリル酸ナトリウム系、ポリアスパラギン酸塩系、（デンプン−アクリル酸）グラフト共重合体、（アクリル酸−ビニルアルコール）共重合体、（イソブチレン−無水マレイン酸）共重合体及びそのケン化物等の材料から形成されたものを使用することができる。これらの中でも、重量当たりの吸収量の観点から、ポリアクリル酸ナトリウム系が好ましい。
【００３３】
吸収体４０に含有されるＳＡＰの坪量は、２４０ｇ／ｍ２以上４５０ｇ／ｍ２以下であることが好ましく、２４５ｇ／ｍ２以上４４５ｇ／ｍ２以下であることがより好ましい。上記の数値範囲内とすることで、吸収体４０におけるゲルブロッキングを防止し、かつ、吸収体４０において多量の体液を吸収させることができる。
また、吸収体４０において、フラッフパルプの重量に対する、高吸収性ポリマーの重量の比率である、高吸収性ポリマーの重量／フラッフパルプの重量×１００（％）が、４０％以上１２０％以下であることが好ましく、５０％以上１００％以下であることがより好ましい。
【００３４】
吸収体４０において、吸収性繊維及びＳＡＰの形態は、吸収性繊維中にＳＡＰ粒子を混合して形成したものでもよく、吸収性繊維間にＳＡＰ粒子を固着したＳＡＰシートでもよい。また、ＳＡＰ粒子の漏洩防止や吸収体４０の形状の安定化の目的から、吸収体４０をキャリアシート６０に包んでもよい。キャリアシート６０の基材としては親水性を有するものであればよく、ティシュ、吸収紙、エアレイド不織布等の親水性不織布を挙げることができる。キャリアシート６０を複数備える場合は、複数のキャリアシート６０の基材は同一のものであっても異なるものであってもよい。
【００３５】
（液拡散性のセカンドシート）
図２に示すように、トップシート２０と開孔フィルム７０との間には、吸収性物品１０の液拡散性を向上させ、かつ、開孔フィルム７０の硬さを抑制し、肌触りを良くするために、液拡散性のセカンドシート５０を配置することが好ましい。セカンドシート５０の基材は、体液の透過速度がトップシート２０より速く、体液を吸収体４０へ素早く拡散するものであればよく、例えば、親水性不織布、特に、エアスルー不織布が好ましい。セカンドシート５０の厚さは、０．１ｍｍ以上が好ましく、その坪量は、１０ｇ／ｍ２以上６０ｇ／ｍ２以下が好ましく、１５ｇ／ｍ２以上４０ｇ／ｍ２以下がより好ましい。厚さが０．１ｍｍ未満、又は、坪量が１０ｇ／ｍ２未満もしくは６０ｇ／ｍ２より大きいと、吸収体４０の上面全体への液体の拡散が十分に行われない。また、セカンドシート５０の形状は、特に制限はないが、体液が、くまなく吸収体４０に拡散するように、吸収体４０の表面を完全に覆うことができる形状であることが好ましい。
【００３６】
（立体ギャザー）
吸収性物品１０には、図２に示すように、使用者の排泄した体液の横漏れを防止するため、吸収性物品１０の長手方向に沿って、トップシート２０上に、立体ギャザー用弾性部材を有する一対の立体ギャザー８０を備えてもよい。吸収性物品１０の幅方向における立体ギャザー８０の外端は、バックシートに固定され、その内端はトップシート２０に固着され、その中央はトップシート２０に固定されない自由端となるように、立体ギャザーシートが配される。立体ギャザー用弾性部材を長手方向に沿って設けることで、立体ギャザー８０が起立性を有し、着用者の体型に合わせて変形可能なものとなる。立体ギャザー用弾性部材としては、例えば、ポリウレタン糸、帯状のポリウレタンフィルム、糸状又は帯状の天然ゴム等が使用され、立体ギャザーシートとしては、疎水性繊維にて形成された撥水性又は液不透過性の不織布、例えば、スパンボンド不織布やメルトブローン不織布、スパンボンド／メルトブローン／スパンボンドを積層した複合不織布等が使用される。
【００３７】
以上、実施形態を用いて本発明を説明したが、本発明の技術的範囲は上記実施形態や実施例に記載の範囲には限定されないことは言うまでもない。上記実施形態に、多様な変更又は改良を加えることが可能であることが当業者に明らかである。また、そのような変更又は改良を加えた形態も本発明の技術的範囲に含まれ得ることが、特許請求の範囲の記載から明らかである。
【実施例】
【００３８】
以下、本発明について、実施例を挙げて詳細に説明する。なお、本発明は、以下に示す実施例に何ら限定されるものではない。
【００３９】
［実施例１］
（吸収性物品の作製）
吸収体においては、基材であるフラッフパルプ７ｇの中に、ＳＡＰ６ｇを混合して形成したものを使用し、トップシートとして、エアスルー不織布（坪量２５ｇ／ｍ２）を用い、液不透過性のバックシートとして、通気性ポリエチレンシート（坪量３２ｇ／ｍ２）を用い、セカンドシートとしてエアスルー不織布（坪量３０ｇ／ｍ２）、立体ギャザーとして、スパンボンド／メルトブローン／スパンボンドを積層した複合不織布（坪量１５ｇ／ｍ２）、上下キャリアシートを用いた。
また、坪量２６ｇ／ｍ２の開孔フィルムを長手方向の寸法２７３ｍｍ、幅方向の寸法３５ｍｍに裁断したものを３枚用意し、吸収体の上に幅方向両側を開孔径の大きい側がセカンドシート側と接するように、幅方向中央部を開孔径の小さい側がセカンドシートと接するように配置した。吸収性物品の寸法は、長手方向が２７３ｍｍ、幅１０５ｍｍとし、吸収体の寸法は、長手方向が２２０ｍｍ、幅７１ｍｍとした。
【００４０】
［比較例１］
開孔フィルムを用いない以外は、実施例と同様にして吸収性物品を作製した。
【００４１】
［比較例２］
セカンドシートの下に開孔フィルム（坪量２６ｇ／ｍ２）を配置し、開孔径の大きい側をセカンドシート側として配置した以外は、実施例と同様にして吸収性物品を作製した。
【００４２】
［評価］
実施例及び比較例について、以下の評価を行った。評価結果を表１に示す。
（吸収性物品表面の肌触り）
８名のパネラーが、吸収性物品の表面の肌触り感を評価した。吸収性物品の表面を触り、「表面が柔らかく感じた」評価者が６人以上８人以下のときを「○」、「表面が柔らかく感じた」評価者が３人以上５人以下のときを「△」、「表面が柔らかく感じた」評価者が１人もしくは２人のとき、又は「表面が柔らかく感じた」評価者が１人もいないときを「×」とした。
【００４３】
（吸収速度３回法）
底面積１６．８ｃｍ２の円柱の中央に内径１９ｍｍの穴が開いており、重さを７５５．６ｇとした測定冶具を、吸収性物品の長手方向、かつ幅方向の中央部の上に置き、上部の穴から生理食塩水それぞれ２０ｍｌを投下し、生理食塩水が吸収性物品に接触した時点から治具中央円内の円周に液体が完全に吸い込まれるところを終点として時間を計測した（１回目）。そして３分経過後に同様の時間を計測し（２回目）、同様に３回目を計測した。
【００４４】
（液戻り量）
トップシートを上に向けた状態で、生理食塩水１２０ｍｌを吸収体の中心部に向かって注水し、１０分間放置した後、生理食塩水の吸収部位に、あらかじめ重量を測定したろ紙（ＡＤＶＡＮＴＥＣ社製  Ｎｏ．２  ろ紙、直径５５ｍｍ）を置き、その上に３５ｋｇｆ／ｃｍ２の錘を乗せ、３０秒経過後、ろ紙の重量を測り、ろ紙の重量差を液戻り量とした。
【００４５】
（濡れ広がり性）
トップシートを上に向けた状態で、生理食塩水１２０ｍｌを吸収体の中心部に向かって注水し、吸収部位から製品長手方向に生理食塩水が１０ｃｍ広がるまでの時間を計測し、濡れ広がり性を評価した。
【００４６】
【表１】
2020081531.tif 000003
【００４７】
表１に示すように、実施例は、表面の肌触りが良く、横方向への拡散及び吸収速度に優れ、液戻りもしにくいということが分かった。
一方、開孔フィルムを含まない比較例１は表面の肌触りが悪く、模擬尿（生理食塩水）の横方向への拡散、吸収速度に劣り、液戻り量も多かった。また、開孔フィルムを含むが、開孔フィルムの開孔径が大きい方が肌側を向く比較例２は、表面の肌触りが良く、液戻り量も比較例１よりは少ないものの、横方向への拡散及び吸収速度に劣り、特に吸収速度は比較例１よりも遅いという結果となった。
上記のように、本発明によれば、排尿などにより受液した際、素早く濡れ広がることで、拡散性や液透過性が改善され、液戻り防止性を向上させることができる、吸収性物品を提供することができる。
【符号の説明】
【００４８】
１０    吸収性物品
２０    トップシート
３０    バックシート
４０    吸収体
４１    上層吸収体
４２    下層吸収体
５０    液拡散性シートのセカンドシート
６０    キャリアシート
７０    開孔フィルム
７１    （開孔フィルムの）トップシート側の表面
７２    （開孔フィルムの）バックシート側の表面
８０    立体ギャザー
【図１】
2020081531.tif 000004
【図２】
2020081531.tif 000005
【図３】
2020081531.tif 000006
【図４】
2020081531.tif 000007